(57)【要約】【課題】  オイルパンへの振動入力の影響を受け難く、或いはオイルポンプの位置変更に対する設計自由度が高く、また、従来に比して軽量な濾過エレメント内蔵オイルパンを提供する。【解決手段】  オイルポンプに連通するオイル流路を備えるとともに、オイルポンプに向かうオイルを濾過するフィルタＦ２を有する濾過エレメント内蔵オイルパンＰ２であって、オイルポンプ側に接続されるオイル管Ｋを上面部に有する中空のカバー体Ｃ２が、オイルパンの底壁Ｗ２の所定部位に配置され、フィルタはカバー体のオイル管よりも上流側の所定箇所に配設されており、前記フィルタよりも上流側にオイルをカバー体の中空内部に流入させる開口部１１ｈが形成され、カバー体の下面部１７が、オイルパンの底壁の所定部位に固定されている、ことを特徴とする【選択図】図３
2006283617.tif 000002
【特許請求の範囲】
【請求項１】
オイルポンプに連通するオイル流路を備えるとともに、前記オイルポンプに向かうオイルを濾過する濾過エレメントを有する濾過エレメント内蔵オイルパンであって、
前記オイルポンプ側に接続されるオイル管を上面部に有する中空のカバー部材が、前記オイルパンの底壁側の所定部位に配置され、
前記濾過エレメントは、前記カバー部材の前記オイル管よりも上流側の所定箇所に配設されており、
前記濾過エレメントよりも上流側に、オイルをカバー部材の中空内部に流入させる開口部が形成され、
前記カバー部材の下面部が、前記オイルパンの底壁側の所定部位に固定されている、
ことを特徴とする濾過エレメント内蔵オイルパン。
【請求項２】
前記オイルパンの底壁の所定部位には、上方に開口した所定形状の凹所が形成され、
前記カバー部材の下面部は、前記凹所の上部開口を跨ぐようにしてオイルパンの底壁に固定されており、
前記凹所の上部開口の一部が、オイルをカバー部材の中空内部に流入させる前記開口部を構成している、
ことを特徴とする請求項１記載の濾過エレメント内蔵オイルパン。
【請求項３】
前記オイルパンの底壁の所定部位には、該底壁と一体的に設けられた縦壁で囲まれ上方に開口した所定形状の上部開口を有する筒状部が形成され、
前記濾過エレメント及び前記カバー部材は、前記筒状部の上部開口を覆うように配設されている、
ことを特徴とする請求項１記載の濾過エレメント内蔵オイルパン。
【請求項４】
前記カバー部材に、オイルをカバー部材の中空内部に流入させる前記開口部が形成され、
前記濾過エレメントは、前記開口部を覆うようにカバー部材と一体的に設けられている、
ことを特徴とする請求項１記載の濾過エレメント内蔵オイルパン。
【請求項５】
前記オイルパンは合成樹脂製であることを特徴とする請求項１〜４の何れか一に記載の濾過エレメント内蔵オイルパン。
【発明の詳細な説明】
【技術分野】
【０００１】
この発明は、例えば機械装置や動力装置などのオイル循環システムに装備されるオイルパン、特に濾過エレメントを内蔵したオイルパンに関する。
【背景技術】
【０００２】
従来、機械装置や動力装置などのオイル循環システムにおいて、オイル使用装置の下部に循環オイルを貯えるオイルパンが付設されたものが知られている。例えば自動車等の車両のエンジンやトランスミッションには、その下部にオイルパンが付設されており、このオイルパン内のオイルをオイルポンプで吸い上げてエンジン或いはトランスミッションに送給し、当該エンジン或いはトランスミッションで使用されたオイルをオイルパンに回収して循環させている。
【０００３】
かかるオイル循環システムでは、通常、オイルポンプよりも上流側に、循環オイルを濾過するオイルフィルタ（以下、適宜、単に「フィルタ」という）等の濾過エレメントが配設される。例えば特許文献１には、かかるフィルタをオイルパンの内部に配設した構成が開示されている。この従来の構成では、オイルパン内に配設されるバッフルプレートを合成樹脂製のメインプレートとサブプレートとで構成し、両プレート間に通路状のストレーナ室を形成し、このストレーナ室に両プレート間に挟持されたメッシュプレートが配設されている。このように、フィルタをオイルパンに内蔵させることにより、オイル循環系の簡素化を図ることができる。
【特許文献１】特開２００２−３６４３２５号公報
【発明の開示】
【発明が解決しようとする課題】
【０００４】
ところが、前記従来の構成では、フィルタは、オイルパンの上部に取り付けられる大面積のバッフルプレートで保持されているので、特に、オイルパンに振動等が加わった場合には、その振動の影響を受け易く、入力振動が大きければ破損に至る場合もある。また、オイルポンプの位置が変更される場合には、バッフルプレートの（特にメインプレートの）形状等を変更しなければならず、かなり大掛かりな設計変更を要するといった難点があった。更に、オイルパンはエンジンやトランスミッション等のオイル使用装置の下部に付設される部品として、かなり大きい容積を有しているが、従来では金属製であるので重量が嵩むという難点もあった。
【０００５】
この発明は、以上のような技術的課題に鑑みてなされたもので、オイルパンへの振動入力の影響を受け難く、若しくはオイルポンプの位置変更に対する設計自由度が高く、また、従来に比して軽量なフィルタ内蔵オイルパンを提供することを、基本的な目的とする。
【課題を解決するための手段】
【０００６】
このため、本願請求項１の発明（第１の発明）に係る濾過エレメント内蔵オイルパンは、オイルポンプに連通するオイル流路を備えるとともに、前記オイルポンプに向かうオイルを濾過する濾過エレメントを有する濾過エレメント内蔵オイルパンであって、前記オイルポンプ側に接続されるオイル管を上面部に有する中空のカバー部材が、前記オイルパンの底壁側の所定部位に配置され、前記濾過エレメントは、前記カバー部材の前記オイル管よりも上流側の所定箇所に配設されており、前記濾過エレメントよりも上流側に、オイルをカバー部材の中空内部に流入させる開口部が形成され、前記カバー部材の下面部が、前記オイルパンの底壁側の所定部位に固定されている、ことを特徴としたものである。
【０００７】
また、本願請求項２の発明（第２の発明）は、前記第１の発明において、前記オイルパンの底壁の所定部位には上方に開口した所定形状の凹所が形成され、前記カバー部材の下面部は、前記凹所の上部開口を跨ぐようにしてオイルパンの底壁に固定されており、前記凹所の上部開口の一部が、オイルをカバー部材の中空内部に流入させる前記開口部を構成していることを特徴としたものである。
【０００８】
更に、本願請求項３の発明（第３の発明）は、前記第１の発明において、前記オイルパンの底壁の所定部位には、該底壁と一体的に設けられた縦壁で囲まれ上方に開口した所定形状の上部開口を有する筒状部が形成され、前記濾過エレメント及び前記カバー部材は、前記筒状部の上部開口を覆うように配設されていることを特徴としたものである。
【０００９】
また更に、本願請求項４の発明（第４の発明）は、前記第１の発明において、前記カバー部材にオイルをカバー部材の中空内部に流入させる前記開口部が形成され、前記濾過エレメントは、前記開口部を覆うようにカバー部材と一体的に設けられていることを特徴としたものである。
【００１０】
また更に、本願請求項５の発明（第５の発明）は、前記第１の発明において、前記オイルパンは合成樹脂製であることを特徴としたものである。
【発明の効果】
【００１１】
本願の第１の発明によれば、濾過エレメントは、オイルポンプ側に接続されるオイル管を上面部に有する中空のカバー部材の前記オイル管よりも上流側の所定箇所に配設されており、前記カバー部材の下面部がオイルパンの底壁側の所定部位に固定されている。つまり、濾過エレメントを有するカバー部材は、その下面部がオイルパンの底壁側に固定されている。従って、オイルパンに振動入力があった場合でも、濾過エレメントは従来に比して振動の影響を受け難く、大きな入力振動に対しても破損に至るおそれを低減することができる。
また、オイルポンプの位置が変更される場合にも、濾過エレメントを有するカバー部材のオイルパン底壁上での配置を変えれば済み、容易に対応できる。つまり、位置変更に対して高い設計自由度を確保できる。
【００１２】
また、本願の第２の発明によれば、基本的には前記第１の発明と同様の作用効果を奏することができる。特に、カバー部材の下面部は、オイルパンの底壁の所定部位に形成された凹所の上部開口を跨ぐようにしてオイルパンの底壁に固定されているので、オイル中に含まれる金属製の塵埃や切粉等の異物を濾過エレメントに至る前に前記凹所の底部に沈積させることができ、当該濾過エレメントが目詰まりを起こすことを有効に抑制できる。
また、前記凹所の上部開口の一部が、オイルをカバー部材の中空内部に流入させる開口部を構成しているので、かかる開口部をわざわざカバー部材に設ける必要がなく、カバー部材の構造を簡素化し、その製作も容易化することができる。
【００１３】
更に、本願の第３の発明によれば、基本的には前記第１の発明と同様の作用効果を奏することができる。特に、オイルパンの底壁の所定部位には、該底壁と一体的に設けられた縦壁で囲まれ上方に開口した所定形状の上部開口を有する筒状部が形成され、濾過エレメント及びカバー部材は、前記筒状部の上部開口を覆うように配設されている。従って、オイル中に含まれる金属製の塵埃や切粉等の異物を濾過エレメントに至る前に前記筒状部の底部に沈積させることができ、当該濾過エレメントが目詰まりを起こすことを有効に抑制できる。
【００１４】
また更に、本願の第４の発明によれば、基本的には前記第１の発明と同様の作用効果を奏することができる。特に、オイルをカバー部材の中空内部に流入させる前記開口部がカバー部材に形成され、前記濾過エレメントは前記開口部を覆うようにカバー部材と一体的に設けられている。従って、濾過エレメントをカバー部材と別部品として取り扱う必要がなくなり、部品点数を削減でき、カバー部材をオイルパンの底壁側に固定する際の固定作業も容易になる。
【００１５】
また更に、本願の第５の発明によれば、基本的には前記第１〜第４の発明の何れか一と同様の作用効果を奏することができる。特に、オイルパンを合成樹脂製としたことにより、オイル使用装置の下部に付設される部品として大きい容積を占めるオイルパンを軽量化することができ、オイル循環システムを備えた装置全体の軽量化に寄与することができる。また、樹脂成形を適用することで、オイルパンの底壁側に前記凹所や筒状部を設ける場合にも、容易に一体形成することができる。
【発明を実施するための最良の形態】
【００１６】
以下、本発明の実施形態を、自動車のエンジンに付設されるオイルパンに適用した場合を例にとって、添付図面を参照しながら詳細に説明する。
まず、本発明の基本的な概念および構成を表す第１実施形態について説明する。
図１は本発明の第１実施形態に係るオイルパンの内部構造の要部を示す部分斜視図である。
【００１７】
この図に示すように、本実施形態では、オイルパンＰ１の底壁Ｗ１の所定部位に、下方に開口した略直方体の箱状の中空カバー体Ｃ１が配設され、該カバー体Ｃ１の上面部５には、エンジンのオイルポンプ（共に不図示）の上流側配管に接続されるオイル管Ｋが一体的に立設されている。カバー体Ｃ１のオイルパン底壁Ｗ１上での位置は、オイル管Ｋの上端が前記オイルポンプ側への接続に適合した位置となるように設定されている。尚、図１において、符号ＷｓはオイルパンＰ１の側壁を示し、符号Ｗｆは、各側壁Ｗｓの上端部を連結するようにして設けられ当該オイルパンＰ１をエンジン（不図示）に取り付ける際に用いる上端フランジを示している。
【００１８】
また、前記カバー体Ｃ１の側面部６の適所には、オイルパンＰ１内のオイルをカバー体Ｃ１の中空内部に流入させる開口部６ｈが形成されている。更に、具体的には図示しなかったが、カバー体Ｃ１の前記オイル管Ｋよりも上流側の所定箇所に、オイルポンプに向かうオイルを濾過する濾過エレメントとしてのフィルタ（不図示）が配設されている。前記開口部６ｈは、このフィルタよりも上流側に位置している。そして、前記カバー体Ｃ１の下面部は、オイルパンＰ１の底壁Ｗ１の前記所定部位に、例えば振動溶着法により固定されている。この固定方法としては、接着や熱溶着など、他の種々の公知の方法を適用することが可能である。
【００１９】
前記オイルパンＰ１は、より好ましくは、所定の合成樹脂材料を用いて、例えば射出成形法により製造されている。
このように、オイルパンＰ１を合成樹脂製としたことにより、エンジン下部に付設される部品として大きい容積を占めるオイルパンＰ１を、従来の金属製の場合に比して大幅に軽量化することができ、エンジン全体の軽量化、ひいては車両の軽量化に寄与することができる。
【００２０】
また、前記カバー体Ｃ１も、より好ましくは、所定の合成樹脂材料を用いて、例えば射出成形法により製造されている。
このように、カバー体Ｃ１の製造に樹脂成形を適用することで、カバー体Ｃ１の上面部５にオイル管Ｋを容易に一体形成することができる。また、カバー体Ｃ１の内部に配設するフィルタ（不図示）を、例えばインサート成形等により一体成形することで、オイル管Ｋを備えたカバー体Ｃ１とフィルタ（不図示）とを一つのユニットとして取り扱うことができる。つまり、部品点数を削減でき、また、フィルタのカバー体Ｃ１内部への組込工程をなくすことができ、生産性の向上に寄与することができる。この場合においても、金属材料を用いる場合に比して、カバー体Ｃ１を大幅に軽量化することができる。
【００２１】
以上の構成において、オイルパンＰ１内のオイルは、開口部６ｈからカバー体Ｃ１の中空内部に流入し、フィルタで濾過された上でオイル管Ｋを通ってオイルポンプ（不図示）内に吸い込まれる。つまり、開口部６ｈで側方に開口したカバー体Ｃ１の中空内部およびオイル管Ｋが、オイルポンプに連通するオイル流路を構成している。
【００２２】
本実施形態では、フィルタ（不図示）は、オイルポンプ側に接続されるオイル管Ｋを上面部５に有する中空のカバー体Ｃ１の前記オイル管Ｋよりも上流側の所定箇所に配設されており、カバー体Ｃ１の下面部がオイルパン底壁Ｗ１の所定部位に固定されている。つまり、フィルタ（不図示）を有するカバー体Ｃ１は、その下面部７がオイルパンＰ１の底壁Ｗ１側に固定されている。従って、オイルパンＰ１に振動入力があった場合でも、フィルタは従来に比して振動の影響を受け難く、大きな入力振動に対しても破損に至るおそれを低減することができる。
【００２３】
また、オイルポンプ（不図示）の位置が変更される場合にも、カバー体Ｃ１のオイルパン底壁Ｗ１上での位置を変えれば済み、従来に比して対応が非常に容易である。つまり、オイルポンプの位置変更に対して高い設計自由度を確保できる。
【００２４】
次に、本発明の第２実施形態について、図２〜図６を参照しながら説明する。
尚、以下の説明において、前記第１実施形態における場合と、同様の構成を備え同様の作用をなすものについては同一の符号を付し、それ以上の説明は省略する。
図２は第２実施形態に係るオイルパンの全体斜視図、図３は図２のＹ３−Ｙ３線に沿ったオイルパンの断面説明図、図４は図２のＹ４−Ｙ４線に沿ったオイルパンの断面説明図、図５はオイルパンの内部構造の要部を示す部分斜視図、また、図６は第２実施形態に係るカバー体の全体斜視図である。
【００２５】
この第２実施形態に係るオイルパンＰ２は、全体として、上方に開口した箱形に形成され、平面視では例えば略長方形状に構成されている。尚、オイルパンＰ２のかかる全体形状は、第１実施形態のオイルパンＰ１においても同様である。
オイルパンＰ２の長手方向における一端側に偏った所定部位には、底壁Ｗ２上にカバー体Ｃ２が固定されている。図３〜図５から良く分かるように、前記所定部位に対応する底壁Ｗ２には、上方に開口した所定形状の凹所１０が形成されている。この凹所１０は、図５から良く分かるように、平面視で略矩形状に形成され、その各辺の略中央部分に、上方へ向かうに連れて外側へ傾斜する傾斜部１１が設けられている。
【００２６】
従って、この凹所１０の上端部においては、前記各傾斜部１１のみがそれぞれ外側に張り出しており、これら傾斜部１１を除き、凹所１０の各角部を含む部分には平坦部１２がそれぞれ形成されている。
前記凹所１０は一定の深さを有しており、この凹所１０内にオイルが流入してきた場合、オイル中に含まれる金属製の塵埃や切粉等の異物を、凹所１０の底部に沈積させることができる。
【００２７】
図６に示されるように、本実施形態に係るカバー体Ｃ２は、第１実施形態における場合と類似した形状を備えており、下方に開口した略直方体の箱状に形成され、該カバー体Ｃ２の上面部１５にはオイル管Ｋが一体的に立設されている。ただし、カバー体Ｃ２の側面部１６には、第１実施形態におけるような開口部は設けられていない。
【００２８】
このカバー体Ｃ２の中空内部には、オイルパンＰ２内の循環オイルを濾過するための濾過エレメントとして図５に示されるフィルタＦ２が組み込まれる。該フィルタＦ２は、平面視で矩形状に形成された網状体Ｓ２（スクリーン）と、該スクリーンＳ２の周縁を一体的に取り囲む枠状体Ｔ２（フレーム）とで構成されている。
前記スクリーンＳ２は、所定メッシュ数（単位面積当たりの開口数）の網状に形成され、一定サイズ以上の塵埃や異物（例えば切粉など）が下流側に通過することを阻止するものである。
【００２９】
前記フィルタＦ２は、より好ましくは、フレームＴ２及びスクリーンＳ２の両方が共に合成樹脂製の成形体として構成され、両者Ｔ２，Ｓ２が一体に成形されている。尚、この代わりに、両者Ｔ２，Ｓ２を別々に成形し、その後に両者Ｔ２，Ｓ２を溶着または接着などにより一体化しても良い。或いは、スクリーンＳ２を金属製の例えば金網または多孔板で形成し、この金属製のスクリーンＳ２をフレームＴ２の樹脂成形金型内にセットしておき、所謂インサート成形で両者Ｔ２，Ｓ２を一体に構成することもできる。
【００３０】
図３及び図４に示されるように、カバー体Ｃ２をオイルパン底壁Ｗ２上に固定する際には、前記フィルタＦ２をカバー体Ｃ２の下端部に組み込んだ上で、カバー体Ｃ２の下面部１７の４隅が底壁Ｗ２の凹所１０上端の平坦部１２の上面に位置するように、つまり、カバー体Ｃ２の下面部１７が底壁Ｗ２の前記凹所１０の上部開口を跨ぐように配置して、カバー体Ｃ２の下面部１７を前記平坦部１２の上面に固定する。固定方法としては、第１実施形態と同様の方法が適用可能である。
このとき、凹所１０上端の各傾斜部１１はそれぞれ外側に張り出しているので、カバー体Ｃ２の下端との間に開口部１１ｈが形成され、この開口部１１ｈからオイルがカバー体Ｃ２の中空内部に流入できる。つまり、前記凹所１０の上部開口の一部が、オイルをカバー体Ｃ２の中空内部に流入させる開口部１１ｈを構成している。
【００３１】
本実施形態によれば、基本的には前記第１実施形態における場合と同様の作用効果を奏することができる。特に、カバー体Ｃ２の下面部１７は、オイルパンＰ２の底壁Ｗ２の所定部位に形成された凹所１０の上部開口を跨ぐようにしてオイルパンＰ２の底壁Ｗ２に固定されているので、オイル中に含まれる金属製の塵埃や切粉等の異物をフィルタＦ２に至る前に前記凹所１０の底部に沈積させることができ、当該フィルタＦ２のスクリーンＳ２が目詰まりを起こすことを有効に抑制できる。
また、前記凹所１０の上部開口の一部が、オイルをカバー体Ｃ２の中空内部に流入させる開口部１１ｈを構成しているので、かかる開口部をわざわざカバー体Ｃ２に設ける必要がなく、カバー体Ｃ２の構造を簡素化し、その製作も容易化することができる。
【００３２】
尚、本実施形態においても、オイルパンＰ２及びカバー体Ｃ２は合成樹脂製である。従って、これらを合成樹脂で製作することについて、前記第１実施形態における場合と同様の作用効果を奏することができる。特に、オイルパンＰ２を合成樹脂製としたことにより、オイルパンＰ２の底壁Ｗ２に複雑形状の凹所１０を容易に形成することができる。
【００３３】
次に、本発明の第３実施形態について、図７〜図１０を参照しながら説明する。
図７は第３実施形態に係るオイルパンの全体斜視図、図８は図７のＹ８−Ｙ８線に沿ったオイルパンの断面説明図、図９はオイルパンの内部構造の要部を示す部分斜視図、また、図１０は第３実施形態に係るカバー体の全体斜視図である。
【００３４】
この第３実施形態に係るオイルパンＰ３では、底壁Ｗ３の所定部位に、縦壁２１で囲まれ上方に開口した略矩形状の上部開口を有する所定高さの筒状部２０が、底壁Ｗ３と一体的に設けられている。
一方、図１０に示されるように、本実施形態に係るカバー体Ｃ３は、第２実施形態における場合と類似した形状を備えており、下方に開口した略直方体の箱状に形成され、該カバー体Ｃ３の上面部２５にはオイル管Ｋが一体的に立設されている。このカバー体Ｃ３の平面視における外形寸法は、前記筒状部２０の平面視における外形寸法と略同一に設定されている。尚、このカバー体Ｃ３の側面部２６には、第２実施形態における場合と同様に開口部は設けられていない。
【００３５】
カバー体Ｃ３の中空内部には、図９に示されるように、平面視で矩形状に形成されたスクリーンＳ３と、該スクリーンＳ３の周縁を一体的に取り囲むフレームＴ３とで構成されたフィルタＦ３が組み込まれる。このフィルタＦ３は、第２実施形態におけるものと類似した形状を備えている。
また、図９から良く分かるように、前記筒状部２０の４つの縦壁２１の少なくとも１つには、上方に開口した所定深さの切欠部２１ｈが形成されている。更に、筒状部２０の縦壁２１の内側部分には、その内縁に沿って、前記フィルタＦ３を（つまり、フレームＴ３を）嵌合させる段部２２が形成されている。
【００３６】
前記カバー体Ｃ３をオイルパン底壁Ｗ３上に固定する際には、前記フィルタＦ３を筒状部２０の段部２２に嵌合させて組み込んだ上で、カバー体Ｃ３の下面部２７が筒状部２０の縦壁２１の上面およびフィルタＦ３のフレームＴ３の上面に位置するように配置して固定する。固定方法としては、第１実施形態と同様の方法が適用可能である。
このとき、縦壁２１の前記切欠部２１ｈの上側がカバー体Ｃ３の下面部２７で閉じられることにより、縦壁２１とカバー体Ｃ３の側面部２６との間に、オイルをカバー体Ｃ３の中空内部に流入させる開口部２１ｈが形成される。
尚、フィルタＦ３の組付方法としては、実施形態２においてフィルタＦ２がカバー体Ｃ２内に組み込まれているように（図３及び図４参照）、フィルタＦ３をカバー体Ｃ３内に組み込むようにしても良い。その場合には、筒状体２０の上面に段部２２を設ける必要はない。
【００３７】
このようにして、前記フィルタＦ３及びカバー体Ｃ３は、オイルパン底壁Ｗ３の筒状部２０の上部開口を覆うように配設される。
従って、本実施形態によれば、基本的には前記第１実施形態における場合と同様の作用効果を奏することができ、しかも、オイル中に含まれる金属製の塵埃や切粉等の異物をフィルタＦ３に至る前に前記筒状部２０の底部に沈積させることができ、当該フィルタＦ３のスクリーンＳ３が目詰まりを起こすことを有効に抑制できるのである。
【００３８】
尚、本実施形態においても、オイルパンＰ３及びカバー体Ｃ３は合成樹脂製である。従って、これらを合成樹脂で製作することについて、前記第１実施形態における場合と同様の作用効果を奏することができる。特に、オイルパンＰ３を合成樹脂製としたことにより、オイルパンＰ３の底壁Ｗ３に複雑形状の筒状部２０を容易に形成することができる。
【００３９】
次に、本発明の第４実施形態について、図１１〜図１４を参照しながら説明する。
図１１は第４実施形態に係るオイルパンの全体斜視図、図１２は図１１のＹ１２−Ｙ１２線に沿ったオイルパンの断面説明図、図１３はオイルパンの内部構造の要部を示す部分斜視図、また、図１４は第４実施形態に係るカバー体の全体斜視図である。
【００４０】
この第４実施形態に係るオイルパンＰ４では、底壁Ｗ４の所定部位に、縦壁３１で囲まれ上方に開口した略矩形状の上部開口を有する所定高さの筒状部３０が、底壁Ｗ４と一体的に設けられている。この筒状部３０は、第３実施形態のもの２０と外形形状は類似しているが、第３実施形態におけるような切欠部２１ｈや段部２２は設けられていない。
【００４１】
一方、図１４に示されるように、本実施形態に係るカバー体Ｃ４は、第３実施形態における場合と類似した外形形状を備えており、下方に開口した略直方体の箱状に形成され、該カバー体Ｃ４の上面部３５にはオイル管Ｋが一体的に立設されている。このカバー体Ｃ４の平面視における外形寸法は、前記筒状部３０の平面視における外形寸法と略同一に設定されている。尚、このカバー体Ｃ４の側面部３６には、第３実施形態における場合と同様に開口部は設けられていない。
【００４２】
本実施形態では、前記カバー体Ｃ４に（具体的には、その上面部３５に）、オイルをカバー体Ｃ４の中空内部に流入させる開口部３５ｈが形成され、濾過エレメントとしてのスクリーンＳ４が前記開口部３５ｈを覆うようにカバー体Ｃ４と一体的に設けられている。
この場合、より好ましくは、スクリーンＳ４及びカバー体Ｃ４の両方が共に合成樹脂製の成形体として構成され、両者Ｃ４，Ｓ４が一体に成形されている。尚、この代わりに、両者Ｃ４，Ｓ４を別々に成形し、その後に両者Ｃ４，Ｓ４を溶着または接着などにより一体化しても良い。或いは、スクリーンＳ４を金属製の例えば金網または多孔板で形成し、この金属製のスクリーンＳ４をカバー体Ｃ４の樹脂成形金型内にセットしておき、所謂インサート成形で両者Ｃ４，Ｓ４を一体に構成することもできる。
【００４３】
前記カバー体Ｃ４をオイルパン底壁Ｗ４上に固定する際には、カバー体Ｃ４の下面部３７が筒状部３０の縦壁３１の上面に位置するように配置して固定する。固定方法としては、第１実施形態と同様の方法が適用可能である。
この構成では、オイルは、カバー体Ｃ４の上面部３５に形成した開口部３５ｈからカバー体Ｃ４の中空内部に流入し、スクリーンＳ４で濾過された上でオイル管Ｋ側に向かうことになる。
【００４４】
本実施形態によれば、基本的には前記第１実施形態における場合と同様の作用効果を奏することができる。特に、オイルをカバー体Ｃ４の中空内部に流入させる開口部３５ｈがカバー体Ｃ４自体に形成され、スクリーンＳ４が前記開口部３５ｈを覆うようにカバー体Ｃ４と一体的に設けられている。従って、濾過エレメントをカバー体Ｃ４と別部品として取り扱う必要がなくなり、部品点数を削減でき、カバー体Ｃ４をオイルパンＰ４の底壁Ｗ４に固定する際の固定作業も容易になる。
尚、カバー体Ｃ４の上面部３５に設けた開口部３５ｈ及びスクリーンＳ４と同様の開口部およびスクリーンを、カバー体Ｃ４の上面部３５だけでなく側面部３６にも設けるようにしても良い。
【００４５】
図１５は、本発明の第５実施形態に係るオイルパンの内部構造およびカバー体を示す斜視図である。尚、この第４実施形態の一変形例に該当するものである。
この第５実施形態では、オイルパンＰ５の底壁Ｗ５に、第４実施形態におけるような筒状部は設けられておらず、底壁Ｗ５は平坦に形成されている。また、カバー体Ｃ５には、上面部４５ではなく、側面部４６に開口部４６ｈがそれぞれ形成されており、第４実施形態における場合と同様の方法で、スクリーンＳ５が前記開口部４６ｈを覆うようにカバー体Ｃ５と一体的に設けられている。
【００４６】
前記カバー体Ｃ５をオイルパン底壁Ｗ５上に固定する際には、第４実施形態における場合のように、カバー体Ｃ５の下面部４７を筒状部３０の縦壁３１の上面に位置するように配置する必要はなく、平坦な底壁Ｗ５上に安定して配置して容易に固定することができる。
この構成では、オイルは、カバー体Ｃ５の側面部４６に形成した開口部４６ｈからカバー体Ｃ５の中空内部に流入し、スクリーンＳ５で濾過された上でオイル管Ｋ側に向かうことになる。
尚、カバー体Ｃ５の側面部４６に設けた開口部４６ｈ及びスクリーンＳ５と同様の開口部およびスクリーンを、カバー体Ｃ５の側面部４６だけでなく、第４実施形態で示したと同様に、上面部４５にも設けるようにしても良い。
【００４７】
第４，第５実施形態においても、オイルパンＰ４，Ｐ５及びカバー体Ｃ４，Ｐ５は合成樹脂製である。従って、これらを合成樹脂で製作することについて、前記第１実施形態における場合と同様の作用効果を奏することができる。特に、第４実施形態においては、オイルパンＰ４を合成樹脂製としたことにより、オイルパンＰ４の底壁Ｗ４に筒状部３０を容易に形成することができる。
【００４８】
尚、以上の実施形態は、自動車のエンジン（不図示）の下部に付設されるオイルパンＰ１〜Ｐ７についてのものであったが、本発明はかかる場合に限定されるものではなく、例えばトランスミッションの下部に付設されるオイルパンなど、他の種々の機械装置や動力装置などのオイル循環システムに装備されるオイルパンに有効に適用することができる。
【００４９】
このように、本発明は、上記実施態様に限定されるものではなく、その要旨を逸脱しない範囲において、種々の変更や改良等が可能であることは言うまでもない。
【産業上の利用可能性】
【００５０】
本発明は、例えば機械装置や動力装置などのオイル循環システムに装備されるオイルパン、特に濾過エレメントを内蔵したオイルパンに関するものであり、オイルパンへの振動入力の影響を受け難く、若しくはオイルポンプの位置変更に対する設計自由度が高く、また、従来に比して軽量なフィルタ内蔵オイルパンを提供することができ、例えば自動車等の車両のエンジンやトランスミッションの下部に付設されるオイルパンとして有効に利用することができる。
【図面の簡単な説明】
【００５１】
【図１】本発明の第１実施形態に係る自動車のエンジンオイルパンの内部構造の要部を示す部分斜視図である。
【図２】本発明の第２実施形態に係るオイルパンの全体斜視図である。
【図３】図２のＹ３−Ｙ３線に沿った前記オイルパンの断面説明図である。
【図４】図２のＹ４−Ｙ４線に沿った前記オイルパンの断面説明図である。
【図５】第２実施形態に係るオイルパンの内部構造の要部を示す部分斜視図である。
【図６】第２実施形態に係るカバー体の全体斜視図である。
【図７】本発明の第３実施形態に係るオイルパンの全体斜視図である。
【図８】図７のＹ８−Ｙ８線に沿った前記オイルパンの断面説明図である。
【図９】第３実施形態に係るオイルパンの内部構造の要部を示す部分斜視図である。
【図１０】第３実施形態に係るカバー体の全体斜視図である。
【図１１】本発明の第４実施形態に係るオイルパンの全体斜視図である。
【図１２】図１１のＹ１２−Ｙ１２線に沿った前記オイルパンの断面説明図である。
【図１３】第４実施形態に係るオイルパンの内部構造の要部を示す部分斜視図である。
【図１４】第４実施形態に係るカバー体の全体斜視図である。
【図１５】本発明の第５実施形態に係るオイルパンの内部構造およびカバー体を示す斜視図である。
【符号の説明】
【００５２】
５，１５，２５，３５，４５  （カバー体の）上面部
６ｈ，１１ｈ，２１ｈ，３５ｈ，４６ｈ  開口部
７，１７，２７，３７，４７  （カバー体の）下面部
１０  凹所
２０，３０  筒状部
Ｃ１，Ｃ２，Ｃ３，Ｃ４，Ｃ５  カバー体
Ｆ２，Ｆ３  フィルタ
Ｐ１，Ｐ２，Ｐ３，Ｐ４，Ｐ５  オイルパン
Ｓ２，Ｓ３，Ｓ４，Ｓ５  スクリーン
Ｗ１，Ｗ２，Ｗ３，Ｗ４，Ｗ５  （オイルパンの）底壁
【図１】
2006283617.tif 000003
【図２】
2006283617.tif 000004
【図３】
2006283617.tif 000005
【図４】
2006283617.tif 000006
【図５】
2006283617.tif 000007
【図６】
2006283617.tif 000008
【図７】
2006283617.tif 000009
【図８】
2006283617.tif 000010
【図９】
2006283617.tif 000011
【図１０】
2006283617.tif 000012
【図１１】
2006283617.tif 000013
【図１２】
2006283617.tif 000014
【図１３】
2006283617.tif 000015
【図１４】
2006283617.tif 000016
【図１５】
2006283617.tif 000017